(57)【要約】      （修正有）【課題】ラックに実装された電子機器の動作中に、ファンが故障したことによりファンを交換しなければならない事態になっても、ファンの交換が簡単に行えるようにした電子機器の構造を提供する。【解決手段】電子機器の背面ではなく、正面にファンユニット４をネジ止めする構造とすることにより、ラックが部屋の壁面に対して背を向けて設置されていてもラックを手前に引っ張りださずにファンユニット４を交換できるようにすると共に、ラックの背面に張り巡らしているケーブルの本数が多くても、ファンユニット４の交換の際、ケーブルがファンユニット４の着脱の邪魔とはならないようにする。【選択図】図１
2008016657.tif 000002
【特許請求の範囲】
【請求項１】
上面もしくは底面に凸部を有し、該凸部をラックに設けられた凹部に沿って摺動させて前記ラックに実装される電子機器の構造において、
正面に装着可能なファンユニットを具備し、該ファンユニットの着脱を、前記ラックに実装された状態でも行うようにしたことを特徴とする電子機器の構造。
【請求項２】
上面もしくは底面に凸部を有し、該凸部をラックに設けられた凹部に沿って摺動させて前記ラックに実装される電子機器の構造において、
正面に装着可能なファンを具備し、該ファンの着脱を、前記ラックに実装された状態でも行うようにしたことを特徴とする電子機器の構造。
【発明の詳細な説明】
【技術分野】
【０００１】
本発明は、ラックに実装される電子機器におけるファンユニットもしくはファンの着脱構造に関するものである。
【背景技術】
【０００２】
従来、ラックに実装する電子機器は、操作部（例えば、スイッチ）と表示部とを有する操作パネルを正面に、コネクタ、ファンを背面に設けた構造となっていた。この構造により、各電子機器をラックに実装した後、各電子機器の背面に設けたコネクタ同士を、ケーブルを介して接続することにより各電子機器間の配線作業を行い、配線作業後、電源を立ち上げて電子機器を動作させるときには、正面の操作パネルに具備された操作部を操作するようにしていた。なお、ラックに実装する電子機器（ユニット）については、特許文献１（特開２００４−１０３６３６号公報）に記載されている。
【特許文献１】特開２００４−１０３６３６号公報
【発明の開示】
【発明が解決しようとする課題】
【０００３】
前述の従来技術では、ファンの故障等でファンを交換しなければならない場合、例えば、部屋の壁面を背にしてラックが設置されたとき、ラックを前方に引っ張り出してからでないと、ファンの交換が行えないという欠点がある。更に、ラックを前方に引っ張り出しても、各電子機器同士を接続するケーブルの本数が多いとき、ケーブルが邪魔でファンの交換を行いづらいという欠点もある。
【０００４】
そこで本発明では、前述の欠点を除去することにより、電子機器がラックに実装された状態でもファンの着脱が簡単に行えるようにすることを目的とする。
【課題を解決するための手段】
【０００５】
本発明は、前述の目的を達成するために、上面もしくは底面に凸部を有し、該凸部をラックに設けられた凹部に沿って摺動させて前記ラックに実装される電子機器の構造において、正面に装着可能なファンユニットまたはファンを具備し、該ファンユニットまたはファンの着脱を、前記ラックに実装された状態でも行うようにしたものである。
【発明の効果】
【０００６】
本発明によれば、電子機器の正面に装着可能なファンユニットまたはファンを具備することにより、例えば、電子機器動作中にファンが故障しても、故障したファンまたはファンユニットを取り外して新しいファンまたはファンを取り付けることが簡単に行える。即ち、ラックが部屋の壁面に対して背を向けて設置していた場合、または各電子機器同士を接続するケーブルの本数が多い場合でも、簡単にファンユニットまたはファンの交換を行うことができる。
【発明を実施するための最良の形態】
【０００７】
以下、本発明の一実施例の電子機器である携帯端末用無線基地局送信増幅器（ＭＣＰＡ：Multi Carrier Power Amplifier、以下、ＭＣＰＡと称する）の構造について説明する。まず、ＭＣＰＡの外観について、図１〜８を用いて説明する。図１はファンユニットのＭＣＰＡへの取付方法を示す斜視図、図２はＭＣＰＡの正面図、図３はＭＣＰＡの左側面図、図４はＭＣＰＡの上面図、図５はＭＣＰＡの底面図、図６はＭＣＰＡの背面図である。図７はラックへのＭＣＰＡの収納方法を示す斜視図である。１は操作パネル、２はライトシャーシ、３はレフトシャーシ、４はファンユニット、５は上ガイド、６は下ガイドである。操作パネル１にはファンユニット４がネジ止めされていることにより、ファンユニット４の着脱を簡単に行うことができる。その結果、ＭＣＰＡが動作中にファンユニット４内のファンが故障したとしても、簡単に別のファンユニット４に交換することができる。また、操作パネル１には、ファンユニット４が装着される以外に、電源スイッチ７、ＬＥＤ表示部８、コネクタ９、１０を有する。ＭＣＰＡの背面には、コネクタ１１と、ライトシャーシ２及びレフトシャーシ３に設けられた複数の風穴を有する。コネクタ１１は、電源供給及び信号入出力用のコネクタである。ＭＣＰＡの上面及び底面にはそれぞれ凸形状の上ガイド５、下ガイド６を有すると共に、ＭＣＰＡが収納されるラックには凸形状の上ガイド５及び下ガイド６を摺動させるための凹形状のガイド（図示せず）を有している。その結果、図７の通り、凹形状のガイドに沿って上ガイド５、下ガイド６を摺動させることにより、ＭＣＰＡをラックに収納する。各ＭＣＰＡをラックに収納した後、各ＭＣＰＡの背面に設けたコネクタ同士をケーブルで接続する配線作業を行い、配線作業終了後、各ＭＣＰＡの電源を立ち上げることで動作させるが、各ＭＣＰＡの動作中にいずれかのＭＣＰＡのファンが故障したとしても、ファンユニット４が各ＭＣＰＡ正面の操作パネル１にネジ止めする構造であることにより、簡単にファンユニット４を交換することができる。
【０００８】
次に、ＭＣＰＡの各シャーシ（操作パネル１、ライトシャーシ２、レフトシャーシ３）の取付構造について、説明する。図２の通り、操作パネル１にはＬカナグ１２、１３がネジ止めされている。そして、図４、図５の通り、ライトシャーシ２、レフトシャーシ３にはＬカナグ１２、１３がネジ止めされている。更に、ライトシャーシ２は、図４の通り、上ガイド５でネジ止めされると共に、図５の通り、下ガイド６でネジ止めされている。なお、上ガイド５、下ガイド６は、ライトシャーシ２だけでなく、筐体内のブラケット（ブラケットについては、後述する）も共締めしている。
【０００９】
次に、ＭＣＰＡの実装構造について、図８を用いて説明する。図８は、ＭＣＰＡの内部構造を示す斜視図である。図９には、ライトシャーシ２、レフトシャーシ３が省略されているが、ブラケット１４がライトシャーシ２と共に上ガイド５に共締めされている。また、図示していないが、下ガイド６にもブラケット１４がライトシャーシ２と共に共締めされている。ブラケット１４には放熱フィン１５が取り付けられており、放熱フィン１５の取付面と反対面には、電子部品が実装された基板、ケーブルが取り付けられている。
【００１０】
以上の通り、本実施例の電子機器であるＭＣＰＡは、ファンユニット４が正面の操作パネル１に取り付けられていることにより、即ち、背面にはファンユニット４が取り付けられていないことにより、ＭＣＰＡを実装したラックが部屋の壁面に対して背を向けて設置されていたとしても、わざわざＭＣＰＡを引っ張り出さずに、ファンユニット４の交換を行うことができる。更に、ラックの背面に張り巡らせているケーブルの本数が多くても、ファンユニット４の交換をラックの背面ではなく正面で行うことができるため、ケーブルがファンユニット４の交換の邪魔とはならず、ファンユニット４の交換を簡単に行うことができる。
【００１１】
本実施例の電子機器であるＭＣＰＡは、正面の操作パネルにファンユニットが装着された場合で説明したが、これに本発明は限定されるものではない。ファンユニットではなく、ファンが正面の操作パネルに装着された場合でも同様にして、ファンの交換が容易に行えることは明らかである。
【図面の簡単な説明】
【００１２】
【図１】本発明の一実施例の電子機器であるＭＣＰＡの外観を示す斜視図。
【図２】本発明の一実施例の電子機器であるＭＣＰＡの正面図。
【図３】本発明の一実施例の電子機器であるＭＣＰＡの左側面図。
【図４】本発明の一実施例の電子機器であるＭＣＰＡの上面図。
【図５】本発明の一実施例の電子機器であるＭＣＰＡの底面図。
【図６】本発明の一実施例の電子機器であるＭＣＰＡの背面図。
【図７】本発明の一実施例の電子機器であるＭＣＰＡのラックへの収納方法を示す斜視図。
【図８】本発明の一実施例の電子機器であるＭＣＰＡの内部構造を示す斜視図。
【符号の説明】
【００１３】
１：操作パネル                   ２：ライトシャーシ
３：レフトシャーシ               ４：ファンユニット
５：上ガイド                            ６：下ガイド
７：電源スイッチ                 ８：ＬＥＤ表示部
９：コネクタ                            １０：コネクタ
１１：コネクタ                   １２：Ｌカナグ
１３：Ｌカナグ                   １４：ブラケット
１５：放熱フィン
【図１】
2008016657.tif 000003
【図２】
2008016657.tif 000004
【図３】
2008016657.tif 000005
【図４】
2008016657.tif 000006
【図５】
2008016657.tif 000007
【図６】
2008016657.tif 000008
【図７】
2008016657.tif 000009
【図８】
2008016657.tif 000010